(57)【要約】【課題】ある問題点／課題を解決するための解決策事例を、利用者が利用しやすい形で提供することができるようにする。【解決手段】入力装置２から入力される問題点／課題に対応する検索キーにより、外部記憶装置１の事例データベース１４に記憶され、解決策事例を蓄積する解決策事例データベースを検索し、更に各解決策事例を評価項目で評価した解決策評価データを、記憶装置１の事例データベース１４に蓄積した解決策評価データベースを、検索された解決策事例で検索し、検索されたこれらの解決策事例と解決策評価データを対応付けして一覧表を作成して出力装置３に出力する。【選択図】図１
2007317064.tif 000002
【特許請求の範囲】
【請求項１】
処理装置、データを記憶する記憶装置、入力装置、及び出力装置を有するシステムによる解決策比較表作成出力方法であって、前記処理装置は、
問題点／課題に対応する検索キーにより、前記記憶装置に記憶され、解決策事例を蓄積する解決策事例データベースを検索し、
検索された前記解決策事例により、前記解決策事例を予め設定した評価項目で評価した解決策評価データを前記記憶装置に蓄積した解決策評価データベースを検索し、
検索された前記解決策事例と検索された前記解決策評価データを対応付けして一覧表を作成し、前記出力装置に出力する解決策比較表作成出力方法。
【請求項２】
請求項１記載の解決策比較表作成出力方法において、
前記出力装置に出力される前記一覧表は、その一方の軸に各々の前記解決策事例を、その他方の軸に前記評価項目をとるテーブル形式を有する解決策比較表作成出力方法。
【請求項３】
請求項１記載の解決策比較表作成出力方法において、前記処理装置は、
前記出力装置に、前記一覧表と共に、前記解決策事例の解決策の内容を一覧で出力する解決策比較表作成出力方法。
【請求項４】
請求項１記載の解決策比較表作成出力方法において、前記処理装置は、
前記問題点／課題に対応する検索キーによる検索の結果、前記解決策事例データベースに該当する解決策事例が存在せず、新たな解決策事例として格納する場合、問題点／課題データと解決策データを前記解決策事例データベースに、前記評価項目に対する各々の評価を前記解決策評価データベースに格納する解決策比較表作成出力方法。
【請求項５】
解決策比較表作成出力システムであって、
処理装置、
解決策事例データベースと、前記解決策事例データベースの各解決策事例を予め設定した評価項目で評価した解決策評価データを蓄積した解決策評価データベースを記憶する記憶装置、
入力装置、及び
出力装置を有し、
前記処理装置は、
問題点／課題に対応する検索キーに基づき、前記記憶装置に記憶された前記解決策事例データベースと前記解決策評価データベースを検索する検索部、
前記検索部により検索された前記解決策事例と、検索された前記解決策評価データを対応付けして一覧表を作成する一覧表作成部とからなり、
前記出力装置に作成された前記一覧表を出力する解決策比較表作成出力システム。
【請求項６】
請求項５記載の解決策比較表作成出力システムにおいて、
前記検索部は、
前記検索キーにより、前記記憶装置に記憶された前記解決策事例データベースを検索し、検索された前記解決策事例で、前記記憶装置に記憶された解決策評価データベースを検索する解決策比較表作成出力システム。
【請求項７】
請求項５記載の解決策比較表作成出力システムにおいて、
前記一覧表作成部は、検索された前記解決策事例を一方の軸に、前記評価項目を他方の軸にしたテーブル形式で、検索された前記解決策評価データを示すことにより、前記一覧表を作成する解決策比較表作成出力システム。
【請求項８】
処理装置、データを記憶する記憶装置、入力装置、及び出力装置を有するシステムにおいて実行されるプログラムであって、前記処理装置を、
問題点／課題に対応する検索キーにより、前記記憶装置に記憶され、解決策事例を蓄積する解決策事例データベースを検索し、
前記解決策事例データベースに蓄積された前記解決策事例を評価項目で評価した解決策評価データを、前記記憶装置に蓄積した解決策評価データベースを、検索された前記解決策事例データで検索し、
検索された前記解決策データと検索された前記解決策評価データを対応付けして一覧表を作成するよう実行させるためのプログラム。
【請求項９】
請求項８記載のプログラムであって、前記処理装置を、
上記解決策事例データベースを検索した結果、解決策事例が検索されなかった場合、前記検索キー、問題点／課題データ、解決策データを前記解決策事例データベースに、前記評価項目に対する各々の解決策評価データを前記解決策評価データベースに登録するよう実行させるためのプログラム。
【請求項１０】
請求項８記載のプログラムであって、前記処理装置を、
検索された前記解決策事例を一方の軸に、前記評価項目を他方の軸にし、検索された前記解決策評価データを示したテーブル形式で、前記一覧表を作成するよう実行させるためのプログラム。
【発明の詳細な説明】
【技術分野】
【０００１】
本発明は、ある問題点／課題を解決するための解決策を、利用者が利用しやすい形で提供することを可能とする技術に関する。
【背景技術】
【０００２】
問題解決を支援するために、５Ｗ１Ｈ(いつ、どこで、誰が、何を、なぜ、どのように)に沿った質問から、最も問題解決に役立ちそうな解決策を提示するための方法及びシステムがある(特許文献１)。
【０００３】
これは、入力された問題に対して適切な問題解決事例が検索されなかった場合、前記質問に沿って入力した情報から、参考情報として出力された情報を、入力した問題情報と組にして、新たな問題解決事例として、事例データベースに登録するための方法、システムである。これにより、事例データベースに記憶された問題解決事例を利用できないような問題の解決も支援することができ、新たに解決した分についても、問題解決事例として事例データベースに新たに登録するため、以降の問題解決事例として活用できる。
【０００４】
【特許文献１】特開２００２−１５７２７６号公報
【発明の開示】
【発明が解決しようとする課題】
【０００５】
この従来技術は、該当する問題解決事例がデータベースに格納されていない場合に、５Ｗ１Ｈに沿った回答情報の登録から、該当する類似な過去事例を検索するものである。しかしながら、検索した結果、複数の過去事例が抽出されたとしても、最終的に解決事例として適用するかどうかは、利用者の判断に任されており、客観的な比較が困難であった。
【０００６】
また、検索された問題解決事例は、問題の対象や問題となる理由といった検索情報によって、検索結果が左右される場合があり、常に同じ尺度で検索結果を比較検討することができなかった。
【０００７】
本発明の目的は、問題点／課題に対して事例データベースより検索された解決策に対し、利用者が客観的な判断を可能とする解決策比較表作成出力方法、システム、及びそのプログラムを提供することにある。
【課題を解決するための手段】
【０００８】
この目的を達成するため、本発明では、処理装置、データを記憶する記憶装置、入力装置、及び出力装置を有するシステムによる解決策比較表作成出力方法として、
問題点／課題に対応する検索キーにより、記憶装置に記憶され、解決策事例を蓄積する解決策事例データベースを検索し、
解決策事例データベースに蓄積された解決策事例を評価項目で評価した解決策評価データを、記憶装置に蓄積した解決策評価データベースを、検索された解決策事例で検索し、
検索された解決策事例と解決策評価データを対応付けして一覧表を作成して出力する解決策比較表作成出力方法を構成する。
【０００９】
また、本発明において、解決策比較表作成出力システムとして、処理装置、
解決策事例データベースと、解決策事例データベースの各解決策事例を予め設定した評価項目で評価した解決策評価データを蓄積する解決策評価データベースを記憶する記憶装置、入力装置、及び出力装置を有し、この処理装置は、問題点／課題に対応する検索キーに基づき、記憶装置に記憶された解決策事例データベースと解決策評価データベースを検索する検索部、この検索部により検索された解決策事例と検索された解決策評価データを対応付けして一覧表を作成する一覧表作成部とからなり、出力装置に作成された一覧表を出力する解決策比較表作成出力システムを構成する。
【００１０】
更に、本発明において、処理装置、データを記憶する記憶装置、入力装置、及び出力装置を有するシステムにおいて実行されるプログラムとして、処理装置を、問題点／課題に対応する検索キーにより、記憶装置に記憶され、解決策事例を蓄積する解決策事例データベースを検索し、解決策事例を評価項目で評価した解決策評価データを記憶装置に蓄積した解決策評価データベースを、検索された解決策事例データで検索し、これら検索された解決策事例データと検索された解決策評価データを対応付けして一覧表を作成するよう実行させるためのプログラムを構成する。
【００１１】
すなわち、本発明においては、解決策事例データベースと、予め定められた比較評価項目に沿って、解決策事例を評価して蓄積した解決策評価データベースを準備しておき、これらのデータベースを用いて複数の解決策を比較検討するための解決策事例および解決策評価データを対応付けた一覧表を作成し、可視化して出力する解決策評価表作成方法、システム、更にはそのプログラムを提供するものである。その好適な処理手順は次のとおりである。
問題点／課題などの情報に基づいて、解決した過去の解決策事例を解決策事例データベースにより検索する、
検索した解決策事例データベースの各検索事例に対する解決策評価データを解決策事例評価データベースにより検索する、
検索した各解決策評価データを、解決策事例毎に整理した上で、一覧表を作成して出力する、
更に、検索した結果、解決策が存在せず新たに解決策事例として格納する場合は、検索キー、問題点／課題データ、解決策データ、更には観点データなどを解決策事例データベースに登録し、且つ評価項目毎の解決策評価データを解決策評価データベースに登録する。
【００１２】
なお、この明細書において、問題点／課題との記載は、問題点または課題、あるいは問題点及び課題の両方の意味を表記している。また、評価項目と同様の意味合いで、評価指標、評価観点、或いは比較項目との表記を用いる場合がある。また、一覧表と同様の意味で、比較表と呼び、作成と同様の意味で生成との用語を用いる場合がある。
【発明の効果】
【００１３】
本発明では、一覧表を作成することで、使用者がどの解決策を選択すれば良いのかを視覚的に支援することが可能となる。
【００１４】
特に、開発依頼者の要求内容を時間的な実行時点の違いから、即時ストレートに解決した場合や、技術的な進展を経た時間をおいて解決した場合など、複数の解決策事例を検索したときに、一定の評価指標にしたがって比較評価するための一覧表を作成することで、どの解決策を選択すれば良いのかを視覚的に支援することができる。
【発明を実施するための最良の形態】
【００１５】
以下、本発明の具体的実施例を図面を用いて詳述する。
【実施例１】
【００１６】
以下に、本発明の第１の実施例を説明する。第１の実施例では、システム開発における複数の解決策に対する評価一覧表の生成（作成）を例として説明する。
【００１７】
図１は、第１の実施例のハードウエア構成を示す図である。図１に示すように、本実施例のハードウエア構成は、一般的なコンピュータ同様、処理プログラムおよび事例データを格納した外部記憶装置１、情報を入力するための入力装置２、処理結果などの情報を出力するための表示装置やプリンタなどの出力装置３、プログラムやデータを一時的に記憶するためのメモリ４、および記憶装置（メモリ）４で記憶されたプログラムやデータを処理するための処理装置（CPU）５から構成されている。
【００１８】
次に、外部記憶装置１は、観点別事例データ検索部１１、解決策比較表生成部１２、新規事例データ登録部１３、および事例データベース１４から構成されている。これら観点別事例データ検索部１１、解決策比較表生成（作成）部１２、及び新規事例データ登録部１３とは、後に詳述するように具体的にはCPU５で実行されるプログラムをその処理機能で示したものである。
【００１９】
次に、図２は、図１の観点別事例データ検索部１１の詳細機能を示す。図２に示すように、観点別事例データ検索部１１は、問題点／課題および解決策事例検索機能１１１、および最適事例選択機能１１２から構成されている。図３は、図１の解決策比較表生成部１２の詳細機能を示す。図３に示すように、解決策比較表生成部１２は、検索事例に対する評価データ抽出機能１２１、比較表テーブルへのデータ格納機能１２２、および出力に応じた比較表生成機能１２３から構成されている。
【００２０】
図４は、図１の新規事例データ登録部１３の詳細機能を示す。図４に示すように、新規事例データ登録部１３は、解決策観点分類機能１３１、問題点／課題および解決策登録機能１３２、および解決策比較評価データ登録機能１３３から構成されている。
【００２１】
次に、図５は、図１の事例データベース１４の詳細構成を示す。図５に示すように、事例データベース１４は、解決策事例データベース１４１、および解決策評価データベース１４２から構成されている。
【００２２】
続いて、図６は、図２の観点別事例データ検索部１１の検索キーによる該当検索データ番号を格納する検索テーブル１０００の構成を示す。図６に示すように、該当検索データ番号を格納する検索テーブル１０００は、検索キーNo格納欄１０１０、検索キーデータ格納欄１０２０、および該当検索データ番号欄１０３０から構成されている。
【００２３】
次に、図７は、図２の観点別事例データ検索部１１の解決策事例検索結果を格納する問題点／課題解決策事例検索結果テーブル２０００の構成を示す。図７に示すように、解決策事例検索結果テーブル２０００は、検索データ番号欄２０１０、問題点／課題データ欄２０２０、解決策データ欄２０３０、およびどのような観点で解決したか観点データ（コード）を格納する観点データ欄２０４０から構成されている。
【００２４】
なお、観点データ（Ｓ、Ｏ、Ｆ）は、該当する解決策をどの時点で実施したのか、時間軸で分類すると共に、問題点／課題をそのまま解決するものと、見方を変えた代替案で解決するものなどの観点で分類したコードである。
【００２５】
次に、図８は、図３の解決策比較表生成部１２の解決策事例評価データを格納するための解決策事例評価データテーブル３０００の構成を示す。図８に示すように、解決策事例評価データテーブル３０００は、検索データ番号欄３０１０、機能拡張性評価データ格納欄３０２０、開発コスト評価データ格納欄３０３０、開発期間評価データ格納欄３０４０、将来の投資必要性評価データ格納欄３０５０、および各評価項目に対するコメントデータを格納するためのコメント欄３０６０から構成されている。例示されているＡＡ、Ｂは評価データの具体例であることは言うまでもなく、例えば、本実施例においては、ＡＡ、Ａ、Ｂ、Ｃの４段階評価がなされるものである。
【００２６】
次に、図９は、図３の解決策比較表生成部１２の検索した複数の解決策データの評価データ比較表を生成するための表生成格納コードに対応付けて、検索データ番号を格納する比較データ格納テーブル４０００の構成を示す。図９に示すように、前記比較表を生成するための格納コード欄４０１０、および各格納コードに格納する解決策の検索データ番号を格納する検索データ番号欄４０２０から構成されている。
【００２７】
次に、図１０は、図３の解決策比較表生成部１２の複数の解決策に対する比較表を生成するための比較表生成テーブル５０００の構成を示す。図１０に示すように、比較表生成テーブル５０００は、比較表に対応した格納コード欄５０１０、機能拡張性に関する表示座標欄５０２０、開発コストに関する表示座標欄５０３０、開発期間に関する表示座標欄５０４０、および将来の投資必要性に関する表示座標欄５０５０から構成されている。
【００２８】
続いて、図１１は、図４の新規事例データ登録部１３の新規解決策事例データを格納するための解決策事例格納テーブル６０００の構成を示す。図１１に示すように、解決策事例格納テーブル６０００は、複数ある検索キーデータを格納するための検索キーデータ欄６０１０、問題点／課題データ欄６０２０、解決策データ欄６０３０、観点データ欄６０４０、および新たに付与した検索データ登録番号を格納する検索データ登録番号欄６０５０から構成されている。
【００２９】
次に、図１２は、図２の観点別事例データ検索部１１の最適事例データを格納する最適事例設定テーブル７０００の構成を示す。図１２に示すように、最適事例設定テーブル７０００は、選択した検索データ番号欄７０１０、選択者コード欄７０２０、選択年月日欄７０３０から構成されている。
【００３０】
次に、図１３は、図５の事例データベース１４の解決策事例データベース１４１に相当する解決策事例データベーステーブル８０００を示す。図１３に示すように、解決策事例データベーステーブル８０００は、検索データ番号欄８０１０、問題点／課題データ欄８０２０、解決策データ欄８０３０、および観点データ欄８０４０から構成されている。
【００３１】
次に、図１４は、図５の事例データベース１４の解決策評価データベース１４２に相当する解決策評価データベーステーブル９０００を示す。図１４に示すように、解決策評価データベーステーブル９０００は、検索データ番号欄９０１０、および予め設定された評価項目に対する各評価データを格納する機能拡張性欄９０２０、開発コスト欄９０３０、開発期間欄９０４０、将来の投資必要性欄９０５０などから構成されている。
【００３２】
次に、図１５は、本実施例により生成された、テーブル形式を有する解決策比較表の表示例１００００を示す。この表示例１００００を構成するテーブルは、その一方の軸である横軸にそれぞれの解決策を、他の軸である縦軸に予め設定された評価項目を取った一覧表である。表示例１００００は、各解決策欄１００１０、評価項目である機能拡張性欄１００２０、開発コスト欄１００３０、開発期間欄１００４０、将来の投資必要性欄１００５０、およびスライドバー１００８０などから構成されている。図中の、◎、○、△、×は各解決策Ａ、Ｂ、Ｃ、Ｄに対する、それぞれの評価項目における評価結果を可視化して示している。これらは、先の、ＡＡ、Ａ、Ｂ、Ｃの評価に対応している。その下部にはそれぞれコメントが付されている。
【００３３】
また、各解決策の詳細内容は、解決策説明表を前記解決策比較表に隣接して一覧表示する。これにより、使用者の解決策事例をより詳細に理解することができる。なお、解決策説明表は、解決策欄１００６０、内容データ欄１００７０、およびスライドバー１００９０などから構成されている。
【００３４】
次に、本実施例の主な処理の流れを、図１６、および図１７に示す。図１６は、図１の入力装置２により入力された、検索キーデータに基づく過去の解決策事例データを検索し、検索された各解決策事例に対する評価データを一覧表として生成する流れを示す。
【００３５】
まず、ステップ１００では、図１で示した入力装置２から検索キーデータを読込む。なお、検索キーデータは、複数入力可能とする。次に、ステップ２００では、前記入力した検索キーデータと一致する検索データ番号を特定する。次に、ステップ３００では、特定した各検索データ番号と一致する問題点／課題解決策事例を、解決策事例データベース１４１より検索し、図７の問題点／課題解決策事例検索結果テーブル２０００に格納する。なお、ステップ３００の詳細については、図１８を用いて後述する。
【００３６】
次に、ステップ４００では、検索した問題点／課題解決策事例検索結果に対応した、予め設定された評価項目に対する評価データを検索し、図８の解決策事例評価データテーブル３０００に格納する。なお、ステップ４００の詳細については、図１９を用いて後述する。次に、ステップ５００では、前記評価データ一覧表を生成するために、検索した各解決策事例データに対する格納コードを登録し、図９の比較データ格納テーブル４０００に格納する。次に、ステップ６００では、前記格納した格納コード順に、該当する評価データの表示座標を設定し、図１０の比較表生成テーブル５０００に前記表示座標データを格納する。なお、ステップ６００の詳細については、図２０を用いて後述する。
【００３７】
次に、ステップ７００では、別の検索キーデータによる検索を行うかどうかの判定を行う。判定の結果、別の検索キーデータによる検索を行なう場合は、ステップ１００へ行く。一方、別の検索キーデータにより検索を行わない場合は、ステップ８００へ行く。次に、ステップ８００では、ステップ６００までで設定したデータを図１５に示すように、評価結果一覧表として生成し、出力する。なお、ステップ８００の詳細については、図２１を用いて後述する。次に、ステップ９００では、生成した評価結果一覧表より、選択された最適事例データを設定し、図１２の最適事例設定テーブル７０００に格納する。なお、ステップ９００の詳細については、図２２を用いて後述する。
【００３８】
続いて、図１７は、新たな解決策事例データを、図５の事例データベース１４に登録する流れを示す。まず、ステップ１１００では、新たに格納する解決策事例を読込み、図１１の解決策事例格納テーブル６０００に格納する。なお、ステップ１１００の詳細については、図２３を用いて後述する。次に、ステップ１２００では、前記格納した解決策事例データに対する新たな検索データ登録番号を付与し、図１１の解決策事例格納テーブル６０００に格納する。
【００３９】
次に、ステップ１３００では、前記解決策事例格納テーブル６０００に格納した解決策事例データを、図１３の解決策事例データベーステーブル８０００に追加する。なお、ステップ１３００の詳細については、図２４を用いて後述する。次に、ステップ１４００では、前記解決策事例データベーステーブル８０００に格納した検索データ番号を、図１４の解決策評価データベーステーブル９０００に格納した上で、各評価データを格納する。なお、ステップ１４００の詳細については、図２５を用いて後述する。
【００４０】
以上で、本実施例の主な処理の流れの説明を終える。
【００４１】
次に、図１６で示したステップ３００の処理の詳細について、図１８を用いて説明する。図１８に示すように、ステップ３１０では、検索データ番号に該当する解決策事例データを、図１３の解決策事例データベーステーブル８０００より検索する。次に、ステップ３２０では、解決策事例データベーステーブル８０００より検索した結果を、図７の問題点／課題解決策事例検索結果テーブル２０００に格納する。
【００４２】
次に、ステップ３３０では、他に該当する検索データがあるかどうかの判定を行う。判定の結果、他に該当する検索データがある場合は、ステップ３１０からの処理を繰り返す。一方、他に該当する検索データがない場合は、この処理を終える。以上で、ステップ３００の詳細な処理の説明を終える。
【００４３】
次に、図１６で示したステップ４００の処理の詳細について、図１９を用いて説明する。図１９に示すように、ステップ４１０では、検索した解決策事例の各検索データ番号に対応した評価データを、図１４の解決策評価データベーステーブル９０００より検索する。次に、ステップ４２０では、前記解決策評価データベーステーブル９０００より検索した結果を、図８の解決策事例評価データテーブル３０００に格納する。
【００４４】
次に、ステップ４３０では、他に該当する検索データがあるかどうかの判定を行う。判定の結果、他に該当する検索データがある場合は、ステップ４１０からの処理を繰り返す。一方、他に該当する検索データがない場合は、この処理を終える。以上で、ステップ４００の詳細な処理の説明を終える。
【００４５】
次に、図１６で示したステップ６００の処理の詳細について、図２０を用いて説明する。図２０に示すように、ステップ６１０では、機能拡張性に関する評価データを表示する座標を設定し、図１０の比較表生成テーブル５０００に格納する。次に、ステップ６２０では、開発コストに関する評価データを表示する座標を設定し、図１０の比較表生成テーブル５０００に格納する。次に、ステップ６３０では、開発期間に関する評価データを表示する座標を設定し、図１０の比較表生成テーブル５０００に格納する。次に、ステップ６４０では、将来の投資必要性に関する評価データを表示する座標を設定し、図１０の比較表生成テーブル５０００に格納する。
【００４６】
次に、ステップ６５０では、他に格納コードがあるかどうかの判定を行う。判定の結果、他に格納コードがある場合は、ステップ６１０からの処理を繰り返す一方、他に格納コードがない場合は、この処理を終える。以上で、ステップ６００の詳細な処理の説明を終える。
【００４７】
次に、図１６で示したステップ８００の処理の詳細について、図２１を用いて説明する。図２１に示すように、ステップ８１０では、図１０の比較表生成テーブル５０００の格納コード欄に格納されている最大コードを読込む。
次に、ステップ８２０では、カウントするための格納コードＮを初期設定(Ｎ＝１)する。次に、ステップ８３０では、前記ステップ８１０で読込んだ最大格納数分だけ、図１５に示す解決策欄１００１０を生成する。
【００４８】
次に、格納コードＮに該当する比較データを、図１０で設定した座標上に、図１５に示す機能拡張性欄１００２０、開発コスト欄１００３０、開発期間欄１００４０、将来の投資必要性欄１００５０に格納する。次に、格納コードＮに該当する解決策の内容データを、図１５に示す内容データ欄１００７０に格納する。次に、ステップ８７０では、格納コードＮに１を加えて次の格納コードへと移る。
【００４９】
次に、ステップ８８０では、前記格納コードＮが、ステップ８１０で読込んだ格納コード数以下であるかどうかの判定を行う。判定の結果、Ｎが前記条件を満たす場合は、ステップ８４０へ行く。一方、Ｎが、読込んだ格納コード数よりも大きい場合は、ステップ８９０へ行く。
【００５０】
次に、ステップ８９０では、前記格納したデータを評価結果一覧表として、図１の出力装置３より出力する。以上で、ステップ８００の詳細な処理の説明を終える。
【００５１】
次に、図１６で示したステップ９００の処理の詳細について、図２２を用いて説明する。図２２に示すように、ステップ９１０では、検索した事例データの中から、図１の入力装置２により選択された検索データ番号を読込む。次に、ステップ９２０では、前記読込んだ検索データ番号、選択者コード、および選択年月日のデータを、図１２の最適事例設定テーブル７０００に格納する。以上で、ステップ９００の詳細な処理の説明を終える。
【００５２】
次に、図１７で示したステップ１１００の処理の詳細について、図２３を用いて説明する。図２３に示すように、ステップ１１１０では、図１１の解決策事例格納テーブル６０００に格納する解決策事例に対する検索キーデータ(複数存在する場合も含む)、問題点／課題データ、解決策データ、観点データを読込む。
【００５３】
次に、ステップ１１２０では、前記ステップ１１１０で読込んだ同じ問題点／課題データの検索キーデータをひとまとめにする。以上で、ステップ１１００の詳細な処理の説明を終える。
【００５４】
次に、図１７で示したステップ１３００の処理の詳細について、図２４を用いて説明する。図２４に示すように、ステップ１３１０では、図１１の解決策事例格納テーブル６０００に格納した問題点／課題データを、図１３の解決策事例データベーステーブル８０００で新たに登録した検索データ番号に該当する問題点／課題データ欄８０２０に格納する。
【００５５】
次に、ステップ１３２０では、図１１の解決策事例格納テーブル６０００に格納した解決策データを、図１３の解決策事例データベーステーブル８０００で新たに登録した検索データ番号に該当する解決策データ欄８０３０に格納する。
【００５６】
次に、ステップ１３３０では、図１１の解決策事例格納テーブル６０００に格納した観点データを、図１３の解決策事例データベーステーブル８０００で新たに登録した検索データ番号に該当する観点データ欄８０４０に格納する。以上で、ステップ１３００の詳細な処理の説明を終える。
【００５７】
次に、図１７で示したステップ１４００の処理の詳細について、図２５を用いて説明する。図２５に示すように、ステップ１４１０では、前記ステップ１３００で新たに登録した検索データ番号を、図１４の解決策評価データベース９０００の検索データ番号欄９０１０に格納すると共に、前記格納した検索データ番号に該当する機能拡張性に関する評価データを、機能拡張性欄９０２０に格納し、評価データに関するコメントデータがある場合は、前記機能拡張性欄９０２０に該当するコメント欄９０６０に、前記コメントデータを格納する。
【００５８】
次に、ステップ１４２０では、前記ステップ１４１０で登録した検索データ番号に該当する開発コストに関する評価データを、開発コスト欄９０３０に格納し、評価データに関するコメントデータがある場合は、前記開発コスト欄９０３０に該当するコメント欄９０６０に、前記コメントデータを格納する。次に、ステップ１４３０では、前記ステップ１４１０で登録した検索データ番号に該当する開発期間に関する評価データを、開発期間欄９０４０に格納し、評価データに関するコメントデータがある場合は、前記開発期間欄９０４０に該当するコメント欄９０６０に、前記コメントデータを格納する。
【００５９】
次に、ステップ１４４０では、前記ステップ１４１０で登録した検索データ番号に該当する将来の投資必要性に関する評価データを、将来の投資必要性欄９０５０に格納し、評価データに関するコメントデータがある場合は、前記将来の投資必要性欄９０５０に該当するコメント欄９０６０に、前記コメントデータを格納する。以上で、ステップ１４００の詳細な処理の説明を終える。
【００６０】
以上で、本発明の第１の実施例の説明を終える。この実施例においては、特に、開発依頼者の要求内容を時間的な実行時点の違いから、即時ストレートに解決した場合や、技術的な進展を経た時間をおいて解決した場合など、複数の解決策事例を検索したときに、一定の評価指標にしたがって比較評価するための一覧表を作成することで、どの解決策を選択すれば良いのかを視覚的に支援することが可能となる。
【００６１】
更に、好適な態様にあっては、事例データベースに存在しない新たな解決策について、予め定めた評価指標および検索キーワードなどを設定の上、新たな事例データベースとして登録することが可能となるので、より広範囲な事例データベースとして成長させることができる。
【００６２】
なお、上述した第１の実施例においては、検索の結果、解決策が複数あった場合を例示して説明したが、得られた解決策が一個の場合であっても、一覧表を生成して出力して良いことは言うまでもない。また、上述した実施例において、問題点／課題に対応した検索キー（ワード）を入力装置より入力する場合を例示して説明したが、これに限定するものでなく、入力装置より問題点／課題の入力を受け、それに対応する検索キーをシステム内部にて生成する構成を取っても良いことは言うまでもない。
【図面の簡単な説明】
【００６３】
【図１】本発明の第１の実施例に関するハードウエア構成を示す図である。
【図２】図１の外部記憶装置１の観点別データ検索部１１の機能構成を示す図である。
【図３】図１の外部記憶装置１の解決策比較表生成部１２の機能構成を示す図である。
【図４】図１の外部記憶装置１の新規事例データ登録部１３の機能構成を示す図である。
【図５】図１の外部記憶装置１の事例データベース１４のテーブル構成を示す図である。
【図６】第１の実施例における検索キーによる該当検索データ番号検索テーブルの一例を示す構成図である。
【図７】第１の実施例における問題点／課題解決策事例検索結果テーブルの一例を示す構成図である。
【図８】第１の実施例における解決策事例評価データテーブルの一例を示す構成図である。
【図９】第１の実施例における比較データ格納テーブルの一例を示す構成図である。
【図１０】第１の実施例における比較表生成テーブルの一例を示す構成図である。
【図１１】第１の実施例における解決策事例格納テーブルの一例を示す構成図である。
【図１２】第１の実施例における最適事例設定テーブルの一例を示す構成図である。
【図１３】第１の実施例における解決策事例データベーステーブルの一例を示す構成図である。
【図１４】第１の実施例における解決策評価データベーステーブルの一例を示す構成図である。
【図１５】第１の実施例における解決策比較表の出力(表示)イメージ一例を示す図である。
【図１６】本発明の第１の実施例における解決策事例検索の主な処理過程を示す流れ図である。
【図１７】本発明の第１の実施例における、新たな解決策事例を解決策事例データに格納する主な処理過程を示す流れ図である。
【図１８】図１６のステップ３００の詳細図である。
【図１９】図１６のステップ４００の詳細図である。
【図２０】図１６のステップ６００の詳細図である。
【図２１】図１６のステップ８００の詳細図である。
【図２２】図１６のステップ９００の詳細図である。
【図２３】図１７のステップ１１００の詳細図である。
【図２４】図１７のステップ１３００の詳細図である。
【図２５】図１７のステップ１４００の詳細図である。
【符号の説明】
【００６４】
１…外部記憶装置、２…入力装置、３…出力装置、４…メモリ、５…ＣＰＵ、１１…観点別事例データ検索部、１２…解決策比較表生成部、１３…新規事例データ登録部、１４…事例データベース、１１１…問題点／課題および解決策事例検索機能、１１２…最適事例選択機能、１２１…検索事例に対する評価データ抽出機能、１２２…比較表テーブルへのデータ格納機能、１２３…出力に応じた比較表生成機能、１３１…解決策観点分類機能、１３２…問題点／課題および解決策登録機能、１３３…解決策比較評価データ登録機能、１４１…解決策事例データベース、１４２…解決策評価データベース、１０００…検索キーによる該当検索データ番号検索テーブル、２０００…問題点／課題解決策事例検索結果テーブル、３０００…解決策事例評価データテーブル、４０００…比較データ格納テーブル、５０００…比較表生成テーブル、６０００…解決策事例格納テーブル、７０００…最適事例設定テーブル、８０００…解決策事例データベーステーブル、９０００…解決策評価データベーステーブル、１００００…解決策比較表表示例。
【図１】
2007317064.tif 000003
【図２】
2007317064.tif 000004
【図３】
2007317064.tif 000005
【図４】
2007317064.tif 000006
【図５】
2007317064.tif 000007
【図６】
2007317064.tif 000008
【図７】
2007317064.tif 000009
【図８】
2007317064.tif 000010
【図９】
2007317064.tif 000011
【図１０】
2007317064.tif 000012
【図１１】
2007317064.tif 000013
【図１２】
2007317064.tif 000014
【図１３】
2007317064.tif 000015
【図１４】
2007317064.tif 000016
【図１５】
2007317064.tif 000017
【図１６】
2007317064.tif 000018
【図１７】
2007317064.tif 000019
【図１８】
2007317064.tif 000020
【図１９】
2007317064.tif 000021
【図２０】
2007317064.tif 000022
【図２１】
2007317064.tif 000023
【図２２】
2007317064.tif 000024
【図２３】
2007317064.tif 000025
【図２４】
2007317064.tif 000026
【図２５】
2007317064.tif 000027